(57)【要約】      （修正有）【課題】落下を防止するための指掛リングを備えた巻尺を提供する。【解決手段】測定用テープ２を自動で巻き取る自動巻取式の巻尺１において、人の手指をケースの側面７側から挿通することが可能な寸法及び形状を有し且つその基部８ｂからケースの側面７上の方向へ折曲可能に構成された指掛リング８を、ケースの背面４に、後方に向かって突設する。【選択図】図４
0003212638.tif 000002
【実用新案登録請求の範囲】
【請求項１】
測定用テープを自動で巻き取る自動巻取式の巻尺であって、
該巻尺のケースと、
上記ケースの背面に後方へ向かって突設されているリング部材と、
を備え、
上記リング部材は、その基部から少なくとも上記ケースの側面上の方向へ折曲可能に構成されているとともに、上記リング部材のリングが、上記ケースの側面側から人の手指を挿通することを可能にする寸法及び形状を有することを特徴とする、指掛リングを備えた巻尺。
【請求項２】
折曲されたリング部材が、自動復帰可能に構成されていることを特徴とする請求項１に記載の指掛リングを備えた巻尺。
【請求項３】
測定用テープを自動で巻き取る自動巻取式の巻尺であって、
該巻尺のケースと、
上記ケースの背面に後方へ向かって突設され、弾性素材から形成されたリング部材と、
を備え、
上記リング部材のリングが、上記ケースの側面側から人の手指を挿通することを可能にする寸法及び形状を有することを特徴とする、指掛リングを備えた巻尺。
【請求項４】
測定用テープを自動で巻き取る自動巻取式の巻尺であって、
該巻尺のケースと、
上記ケースに装着されているカバーと、
上記ケースの背面に位置する上記カバーの部位に背面後方へ向かって突設され、弾性素材から形成されたリング部材と、
を備え、
上記リング部材のリングが、上記ケースの側面側から人の手指を挿通することを可能にする寸法及び形状を有することを特徴とする、指掛リングを備えた巻尺。
【請求項５】
上記カバーが、上記ケースに脱着可能になっていることを特徴とする請求項４に記載の指掛リングを備えた巻尺。
【請求項６】
上記リング部材のリング部が、手指を挿通するための指掛用リング部と、フックを係合するためのフック用リング部との少なくとも２つから構成されていることを特徴とする請求項１、請求項３及び請求項４のうちのいずれかに記載の指掛リングを備えた巻尺。
【請求項７】
上記リング部材のリング内周の形状が、内歯歯車状の形状に形成されていることを特徴とする請求項１、請求項３及び請求項４のうちのいずれかに記載の指掛リングを備えた巻尺。
【考案の詳細な説明】
【技術分野】
【０００１】
本考案は、落下を防止するための指掛リングを備えた巻尺に関する。
【背景技術】
【０００２】
従来、巻尺の落下防止構造は、特許文献１に開示されているように、ケースの背面にリング体が設けられ、該リング体に、落下防止用ロープの先端フックが係着できるように構成されている。これにより、巻尺を落とした場合でも、落下防止用ロープの長さよりも下方に落下することがない。
【０００３】
とは言え、落下防止用ロープは、高所での作業のときに巻尺の地上落下を防止するために開発されたものなので、地上での作業のときは、落下防止用ロープによって落下が阻止される前に巻尺が床面に衝突することがあった。これは、落下防止用ロープの長さが巻尺の使用に影響を与えない長さとなっているからである。
【０００４】
また、作業者の中には、巻尺を持っている手の指をケースの背面のリング体に掛け、巻尺が手から滑落した際、リング体に掛けている手指で該巻尺の落下を阻止しようとする者もいて、この場合、巻尺の床面衝突は阻止できるのであるが、上記リング体はケースと一体に構成されているため、巻尺の落ち方によってはリング体に掛けている手指が捻られ、該手指がリング体から外れて巻尺が落下してしまうこともあり、また、無理に巻尺の落下を阻止しようとすれば、手指を捻挫することや骨折する恐れもあった。
【先行技術文献】
【特許文献】
【０００５】
【特許文献１】特開２０１１−２１４９１９号公報
【考案の概要】
【考案が解決しようとする課題】
【０００６】
本考案の目的とするところは、巻尺が落下する姿勢に影響を受けることなく、人の手指を、ケースの背面に設置されているリング体に安全に掛けることができるようにする。
【課題を解決するための手段】
【０００７】
本考案に係る指掛リングを備えた巻尺の一実施例においては、測定用テープを自動で巻き取る自動巻取式の巻尺であって、巻尺のケースと、ケースの背面に後方へ向かって突設されているリング部材と、を備え、リング部材は、その基部から少なくともケースの側面上の方向へ折曲可能に構成されているとともに、リング部材のリングが、ケースの側面側から人の手指を挿通することを可能にする寸法及び形状を有することを特徴とする、指掛リングを備えた巻尺を提供する。
【０００８】
また、折曲されたリング部材が、自動復帰可能に構成されていることを特徴とする。
【０００９】
他の実施例においては、測定用テープを自動で巻き取る自動巻取式の巻尺であって、該巻尺のケースと、ケースの背面に後方へ向かって突設され、弾性素材から形成されたリング部材と、を備え、リング部材のリングが、ケースの側面側から人の手指を挿通することを可能にする寸法及び形状を有することを特徴とする、指掛リングを備えた巻尺を提供する。
【００１０】
さらに他の実施例においては、測定用テープを自動で巻き取る自動巻取式の巻尺であって、巻尺のケースと、ケースに装着されているカバーと、ケースの背面に位置するカバーの部位に背面後方へ向かって突設され、弾性素材から形成されたリング部材と、を備え、リング部材のリングが、ケースの側面側から人の手指を挿通することを可能にする寸法及び形状を有することを特徴とする、指掛リングを備えた巻尺を提供する。
【００１１】
また、カバーが、ケースに脱着可能になっていることを特徴とする。
【００１２】
また、リング部材のリング部が、手指を挿通するための指掛用リング部と、フックを係合するためのフック用リング部との少なくとも２つから構成されていることを特徴とする。
【００１３】
また、リング部材のリング内周の形状が、内歯歯車状の形状に形成されていることを特徴とする。
【考案の効果】
【００１４】
本考案の落下防止用の指掛リングを備えた巻尺によれば、手指が掛けられるリング部材が、少なくともケースの側面上の方向に自由に折り曲がるので、巻尺が手から滑り落ちたときでも、リング部材に掛けられている手指がしっかりと該リング部材を保持し、巻尺の落下を阻止することができる。
【００１５】
また上述したように、手指が掛けられるリング部材が、少なくともケースの側面上の方向に自由に折り曲がるようになっているので、落ち始めた巻尺によって手指が捻られることもなく、従って、手指の捻挫や骨折などの怪我を負うこともない。
【図面の簡単な説明】
【００１６】
【図１】本考案に係る一実施例の巻尺を示した側面図。
【図２】図１の巻尺を上方から見ている図。
【図３】リング部材と巻尺の背面との接続の一実施例を示した図。
【図４】本考案に係る一実施例の巻尺を示した側面図。
【図５】本考案に係る一実施例の巻尺を示した側面図。
【図６】図５の巻尺を上方から見ている平面図。
【図７】リング部材の変形の一実施例を示した図。
【図８】リング部材の一実施例を示した側面図。
【図９】リング部材の一実施例を示した側面図。
【図１０】複数のリング部材を備えるカバーの一実施例を示した巻尺を上方から見ている平面図。
【図１１】リング部材の使用の一実施例を示した図。
【考案を実施するための形態】
【００１７】
本考案に係る巻尺を、添付図面に示す具体例に基づいて説明する。
【００１８】
図１は、本考案に係る巻尺の一実施例である。本巻尺１は、測定用テープ２を自動で巻き取る自動巻取式の巻尺１であって、また、引き出された測定用テープ２が、制動レバー３によって引き出した位置で固定できるようになっている。
【００１９】
さらに巻尺１の背面４には、少なくとも携帯者の小指１３（図１１を参照）を挿通可能な通孔５ａを有したリング部材たる指掛リング５が、背面４の後方に向かって突設されている。なお、小指１３は、ケースの側面７側から通す。
【００２０】
また指掛リング５は、樹脂や蝶番等の接続部材６によって該指掛リング５の基部とケースの背面４とが接続されているので、図２中に示した矢印Ａ、Ａ´の方向（ケースの側面７上の方向）に曲げられる力が加わった場合は、接続部材６（基部）のところから該矢印Ａ、Ａ´の方向に曲がることができる。
【００２１】
図３は、接続部材６による指掛リング５と背面４との接続の一実施例を示している。本図に示した接続部材６は、全体がエラストマやシリコン等の弾性素材を用いて形成されているので、上述した曲げる力が除かれると、折り曲がった指掛リング５は元の状態に戻る（自動復帰）。
【００２２】
また、接続部材６に弾性素材を用いる他にも、自動復帰させることを板ばね（発条部材）を用いて行ってもよく、具体的には、板ばねの板面とケースの側面７とが並行になるように該板ばねの長手方向の一端を指掛リング５の基部に接続し、他端をケースの背面４に接続する（この実施例の図示は省略）。
【００２３】
また、上述した板ばねの代わりにコイルばね（押しばね）を用いてもよく、具体的には、該コイルばねの伸縮方向の一端を指掛リング５の基部に接続し、他端をケースの背面４に接続する（この実施例の図示も省略）。
【００２４】
図４は、本考案に係る巻尺の一実施例である。本巻尺１は、図１に示した巻尺１と同様に、測定用テープ２を自動で巻き取る自動巻取式の巻尺１であって、また、引き出された測定用テープ２が、制動レバー３によって引き出した位置で固定できるようになっている。
【００２５】
さらに巻尺１の背面４には、少なくとも携帯者の小指１３（図１１を参照）を挿通可能な通孔８ａを有したリング部材たる弾性素材の指掛リング８が、背面４の後方に向かって突設されている。なお、小指１３は、ケースの側面７側から通す。
【００２６】
この指掛リング８は弾性素材の性質を有しているので、該指掛リング８に図２中に示した矢印Ａ、Ａ´の方向（ケースの側面７上の方向）に曲げられる力が加わった場合は、指掛リング８の基部８ｂのところから該矢印Ａ、Ａ´の方向に曲がる（捻じれ変形もする）ことができる。尚且つ、上述の曲げる力が除かれると、折り曲がった指掛リング８は元の状態に戻る（自動復帰）。
【００２７】
図５は、本考案に係る巻尺の一実施例である。本巻尺１は、図１に示した巻尺１と同様に、測定用テープ２を自動で巻き取る自動巻取式の巻尺１であって、また、引き出された測定用テープ２が、制動レバー３によって引き出した位置で固定できるようになっている。
【００２８】
さらに巻尺１のケースには、エラストマやシリコン等の弾性素材を用いて形成されているカバー９が、少なくとも測定用テープ２の出入り動作や、制動レバー３の操作に支障がないように被せられている。また、巻尺１にベルトクリップ１ａが設けられている場合は、該ベルトクリップ１ａの取り扱いに支障がないように被せられている。カバー９は、ケースに脱着自在に構成してもよい。
【００２９】
そして、上述のカバー９におけるケースの背面４に位置する部位に、少なくとも携帯者の小指１３（図１１を参照）を挿通可能な通孔１０ａを有したリング部材たる指掛リング１０が、背面４の後方に向かって突設（カバー９と同素材で一体的に成型）されている。なお、小指１３は、ケースの側面７側から通す。
【００３０】
また指掛リング１０としては、弾性率を変えた別素材からなる指掛リングを取り付けたり、別素材からなる指掛リングをカバー９の成型時に該カバー９と一体になるよう取り付けてもよい。
【００３１】
この指掛リング１０は弾性素材の性質を有しているので、該指掛リング１０に図６中に示した矢印Ｂ、Ｂ´の方向（ケースの側面７上の方向）に曲げられる力が加わった場合は、指掛リング１０の基部１０ｂの付近から該矢印Ｂ、Ｂ´の方向に曲がる（捻じれ変形もする）ことができる。尚且つ、上述の曲げる力が除かれると、折り曲がった指掛リング１０は元の状態に戻る（自動復帰）。
【００３２】
図７は、カバー９に備えた指掛リング１０（図５）の変形の一実施例を示している。図７（ａ）は、指掛リング１０に矢印Ｃの方向の曲げ力が加わったときを示していて、該指掛リング１０は、基部１０ｂの付近からケースの側面７上の方向に曲がる。図７（ｂ）は、指掛リング１０に矢印Ｄの方向の曲げ力が加わったときを示していて、該指掛リング１０は、基部１０ｂの付近からケースの側面７の下方に捻じれて曲がる。
【００３３】
図８は、指掛リングの一実施例を示している。本指掛リング１１は、携帯者の小指１３（図１１を参照）を通すための通孔１１ａとは別に、例えば、落下防止用ロープに備えるフック（図示せず）を係合するためのフック係合用の通孔１１ｃが設けられている。この指掛リング１１においても、上述の指掛リング１０と同様に、基部１１ｂの付近からケースの側面７上の方向や、ケースの側面７の下方に捻じれて曲がることができる。
【００３４】
図９は、指掛リングの一実施例を示している。本指掛リング１２は、携帯者の小指１３（図１１を参照）を通すための通孔１２ａの内周が内歯歯車状１２ｃになっている。これにより、例えば、落下防止用ロープに備えるフック（図示せず）を係合するための指掛リング１２に係合されたとき、該フックの通孔１２ａ内での自由移動を規制できるようにしている。この指掛リング１２においても、上述の指掛リング１０と同様に、基部１２ｂの付近からケースの側面７上の方向や、ケースの側面７の下方に捻じれて曲がることができる。
【００３５】
図１０は、指掛リング１０（図５）が複数備えられているカバーの一実施例を示した巻尺を上方から見ている平面図である。本カバー９ａは、ケースにおける左右の側面７寄りに、それぞれ指掛リング１０が並行に２個設けられている。この形態は、一方の指掛リング１０の通孔１０ａに携帯者の小指１３（図１１を参照）が通され、他方の指掛リング１０の通孔１０ａに、落下防止用ロープに備えるフック（図示せず）を係合するためのフックが係合される。
【００３６】
図１１は、指掛リング１０（図５）の使用の一実施例を示している。巻尺１を持っている携帯者の小指１３が、ケースの側面７側から通孔１０ａに通される。これにより、巻尺１が手から滑り落ちたときでも、指掛リング１０に掛けられている小指１３がしっかりと該指掛リング１０を保持して、巻尺１の落下を阻止することができる。
【００３７】
また、本実施例では図示していないが、指掛リングは、ケースの側面７に近接して折り畳み可能に構成したり、またケースの側面７に近接して該側面７上にスライド移動可能に構成してもよい。
【符号の説明】
【００３８】
１…巻尺
１ａ…ベルトクリップ
２…測定用テープ
３…制動レバー
４…背面
５…指掛リング
５ａ…通孔
６…接続部材
７…側面
８…指掛リング
８ａ…通孔
８ｂ…基部
９…カバー
９ａ…カバー
１０…指掛リング
１０ａ…通孔
１０ｂ…基部
１１…指掛リング
１１ａ…通孔
１１ｂ…基部
１１ｃ…通孔
１２…指掛リング
１２ａ…通孔
１２ｂ…基部
１３…小指
【図１】
0003212638.tif 000003
【図２】
0003212638.tif 000004
【図３】
0003212638.tif 000005
【図４】
0003212638.tif 000006
【図５】
0003212638.tif 000007
【図６】
0003212638.tif 000008
【図７】
0003212638.tif 000009
【図８】
0003212638.tif 000010
【図９】
0003212638.tif 000011
【図１０】
0003212638.tif 000012
【図１１】
0003212638.tif 000013